(57)【特許請求の範囲】
【請求項１】
ハウジングと、
前記ハウジングの内部に、前記ハウジングの長手方向に沿って挿入される複数の中空糸膜束の、それぞれの両端部に嵌め合わされる中空糸膜カートリッジと、
前記ハウジングの内部に備えられて前記複数の中空糸膜束を区画する区画部と、
前記ハウジングの端部の内側面に接するポッティング部であって、前記複数の中空糸膜カートリッジのみならず、前記中空糸膜束についても、前記ポッティング部中にポッティングされるようにすることで、ハウジング中にて固定されるようにするポッティング部とを含み、
前記区画部は、前記ハウジングと一体に形成されているか、またはハウジングに、分離して形成されて組み付けられており、
前記区画部内の挿入空間ごとに、それぞれの前記中空糸膜束と、前記中空糸膜カートリッジの一端部とが挿入されていることを特徴とする、中空糸膜カートリッジ型加湿モジュール。
【請求項２】
前記ハウジングの内部には、中空糸膜束なしに前記区画部内に嵌め込まれて、前記ポッティング部中にポッティングされている、空きカートリッジを、さらに備えることを特徴とする、請求項１に記載の中空糸膜カートリッジ型加湿モジュール。
【請求項３】
前記各中空糸膜カートリッジは、両側が開口されたボディーの一端部の外面に、複数の流体通過部を備えることを特徴とする、請求項１に記載の中空糸膜カートリッジ型加湿モジュール。
【請求項４】
前記中空糸膜カートリッジの前記中空糸膜束は、その全体積に対して中空糸膜を３０〜６０体積％含むことを特徴とする、請求項１に記載の中空糸膜カートリッジ型加湿モジュール。
【請求項５】
前記ハウジングは、横断面形状が円形、楕円形または多角形からなることを特徴とする、請求項１に記載の中空糸膜カートリッジ型加湿モジュール。
【請求項６】
前記中空糸膜カートリッジは、横断面形状が円形、楕円形または多角形からなることを特徴とする、請求項１に記載の中空糸膜カートリッジ型加湿モジュール。
【請求項７】
前記中空糸膜カートリッジにおける中空糸膜束の相当直径（ｅｑｕｉｖａｌｅｎｔ  ｄｉａｍｅｔｅｒ）と長さとの比率は、１：２〜１：１０であることを特徴とする、請求項６に記載の中空糸膜カートリッジ型加湿モジュール。
【請求項８】
前記空きカートリッジは、円形、楕円形または多角形からなっており、前記区画部の挿入空間の内部に流体が流れないように閉鎖されていることを特徴とする、請求項２に記載の中空糸膜カートリッジ型加湿モジュール。
【請求項９】
中空糸膜束の両端部に嵌め合われる中空糸膜カートリッジを準備するステップと、
前記中空糸膜カートリッジの形状及び個数に応じて容量を定め、前記中空糸膜束を区画する区画部が備えられたハウジングを製造するステップと、
複数の前記中空糸膜カートリッジ及び中空糸膜束を前記ハウジング内に挿入して配列するステップと、
配列された複数の前記中空糸膜カートリッジと、中空糸膜束とを、前記ハウジングに一度にポッティングするステップとを含み、
前記ハウジングを製造するステップにおいて、前記区画部を前記ハウジングと一体に作製するか、またはハウジングと分離して作製して組み付け、
前記挿入して配列するステップにおいて、前記区画部内の挿入空間ごとに、それぞれの前記中空糸膜束と、前記中空糸膜カートリッジの一端部とを挿入することを特徴とする、中空糸膜カートリッジ型加湿モジュールの製造方法。
【発明の詳細な説明】
【技術分野】
【０００１】
本発明は、中空糸膜カートリッジ型加湿モジュール及びその製造方法に関し、より詳細には、通常の中空糸膜カートリッジをハウジングに挿入して一体化することによって、様々な容量の製品に拡張することができ、中空糸膜カートリッジの利用効率を高め、簡単なポッティングで製造時間とコストを低減する中空糸膜カートリッジ型加湿モジュール及びその製造方法に関する。
【背景技術】
【０００２】
燃料電池とは、水素と酸素を結合させて電気を生産する発電型電池である。燃料電池は、乾電池や蓄電池などの一般の化学電池とは異なり、水素と酸素が供給される限り、継続して電気を生産することができ、熱損失がないため、内燃機関よりも効率が約２倍高いという利点がある。また、水素と酸素の結合により発生する化学エネルギーを、電気エネルギーに直接変換するため、公害物質の排出が少ない。したがって、燃料電池は、環境に優しいだけでなく、エネルギー消費の増加による資源の枯渇に対するおそれを低減できるという利点を有する。このような燃料電池は、使用される電解質の種類によって、高分子電解質型燃料電池（Ｐｏｌｙｍｅｒ  Ｅｌｅｃｔｒｏｌｙｔｅ  Ｍｅｍｂｒａｎｅ  Ｆｕｅｌ  Ｃｅｌｌ：ＰＥＭＦＣ）、リン酸型燃料電池（ＰＡＦＣ）、溶融炭酸塩型燃料電池（ＭＣＦＣ）、固体酸化物型燃料電池（ＳＯＦＣ）、及びアルカリ型燃料電池（ＡＦＣ）などに大別することができる。これらのそれぞれの燃料電池は、根本的に同一の原理によって作動するが、使用される燃料の種類、運転温度、触媒、電解質などが互いに異なる。その中でも高分子電解質型燃料電池は、他の燃料電池に比べて低温で動作するという点、及び出力密度が大きくて小型化が可能であるので、小規模の据え置き型発電装備だけでなく、輸送システムでも最も有望であると認識されている。
【０００３】
高分子電解質型燃料電池の性能を向上させる際に最も重要な要因の一つは、膜−電極接合体（Ｍｅｍｂｒａｎｅ  Ｅｌｅｃｔｒｏｄｅ  Ａｓｓｅｍｂｌｙ：ＭＥＡ）の高分子電解質膜（Ｐｏｌｙｍｅｒ  Ｅｌｅｔｒｏｌｙｔｅ  Ｍｅｍｂｒａｎｅ又はＰｒｏｔｏｎ  Ｅｘｃｈａｎｇｅ  Ｍｅｍｂｒａｎｅ：ＰＥＭ）に一定量以上の水分を供給することによって、含水率を維持するようにすることである。高分子電解質膜が乾燥すると、発電効率が急激に低下するためである。高分子電解質膜を加湿する方法としては、１）耐圧容器に水を充填した後、対象気体を拡散器（ｄｉｆｆｕｓｅｒ）に通過させて水分を供給するバブラー（ｂｕｂｂｌｅｒ）加湿方式、２）燃料電池の反応に必要な供給水分量を計算し、ソレノイドバルブを介してガス流動管に直接水分を供給する直接噴射（ｄｉｒｅｃｔ  ｉｎｊｅｃｔｉｏｎ）方式、及び３）高分子分離膜を用いてガスの流動層に水分を供給する加湿膜方式などがある。これらの中でも、排気ガス中に含まれる水蒸気のみを選択的に透過させる膜を用いて、水蒸気を、高分子電解質膜に供給されるガスに提供することによって、高分子電解質膜を加湿する加湿膜方式が、加湿器を軽量化及び小型化できるという点で有利である。
【０００４】
加湿膜方式に使用される選択的透過膜は、モジュールを形成する場合、単位体積当たりの透過面積の大きい中空糸膜が好ましい。すなわち、中空糸膜を用いて加湿器を製造する場合、接触表面積の広い中空糸膜の高集積化が可能であるので、小容量でも燃料電池の加湿を十分に行うことができ、低価素材の使用が可能であり、燃料電池から高温で排出される未反応ガスに含まれた、水分と熱を回収して加湿器により再利用できるという利点を有する。
【０００５】
ところで、従来の中空糸膜モジュールは、容量を高めるために中空糸膜を多数集積する場合、中空糸膜の外部へと流れる気体の流れが、中空糸膜による不均一な抵抗により、均一に形成されない。これを克服するために、中空糸膜束を分割するか、または単位モジュールをカートリッジ化して大容量化する技術が用いられている。しかし、このような技術は、カートリッジの個別モジュールの製造時間が長すぎるため、製造コストが高くなったり、束を分割する場合、作業性の不利であることにより品質のばらつきが高くなったりするという欠点がある。
【先行技術文献】
【特許文献】
【０００６】
【特許文献１】韓国公開特許第２０１１−０１０９８１４号（公開日：2011.10.06.）
【特許文献２】韓国公開特許第２０１２−００７４５０７号（公開日：2012.07.06.）
【特許文献３】韓国公開特許第２０１３−００３４４０４号（公開日：2013.04.05.）
【発明の概要】
【発明が解決しようとする課題】
【０００７】
本発明の目的は、複数の通常の中空糸膜カートリッジをハウジングに挿入して一体化することによって、様々な容量の製品に拡張することができ、中空糸膜カートリッジの利用効率を高め、簡単なポッティングで製造時間とコストを低減する中空糸膜カートリッジ型加湿モジュール及びその製造方法を提供することにある。
【課題を解決するための手段】
【０００８】
本発明に係る中空糸膜カートリッジ型加湿モジュールは、ハウジングと、ハウジングの内部にハウジングの長手方向に沿って挿入される、複数の中空糸膜束の両端部に嵌め合わされる通常の中空糸膜カートリッジと、ハウジングの内部に備えられて複数の中空糸膜束を区画する区画部と、複数の通常の中空糸膜カートリッジと中空糸膜束をハウジングに一度にポッティングするポッティング部とを含む。
【０００９】
ハウジングの内部には、加湿容量または加湿度に応じて、中空糸膜束なしに区画部内に嵌め込まれてハウジングに一度にポッティングされる通常の空きカートリッジをさらに備えることもできる。通常の中空糸膜カートリッジには、流体が中空糸膜束の内部に容易に流入するようにする流体通過部が形成される。
【００１０】
通常の中空糸膜カートリッジの中空糸膜束は、その全体積に対して中空糸膜を３０〜６０体積％含むことが好ましい。
【００１１】
ハウジングは、横断面形状が円形、楕円形または多角形からなることができる。
【００１２】
通常の中空糸膜カートリッジは、横断面形状が円形、楕円形または多角形からなることができる。通常の中空糸膜カートリッジの中空糸膜束の相当直径（ｅｑｕｉｖａｌｅｎｔ  ｄｉａｍｅｔｅｒ）と長さとの比率は１：２〜１：１０であることが好ましい。
【００１３】
通常の空きカートリッジは、円形、楕円形または多角形からなっており、区画部の挿入空間の内部に流体が流れないように閉鎖されている。
【００１４】
本発明に係る中空糸膜カートリッジ型加湿モジュールの製造方法は、中空糸膜束の両端部に嵌合される通常の中空糸膜カートリッジを準備するステップと、通常の中空糸膜カートリッジの形状及び個数に応じて容量を定め、中空糸膜束を区画する区画部が備えられたハウジングを製造するステップと、複数の通常の中空糸膜カートリッジ及び中空糸膜束をハウジング内に挿入して配列するステップと、配列された複数の通常の中空糸膜カートリッジと中空糸膜束を、ハウジングに一度にポッティングするステップとを含む。
【００１５】
ハウジングを製造するステップにおいて、区画部はハウジングと一体に作製することができる。また、ハウジングを製造するステップにおいて、区画部はハウジングと分離して作製してから組み付けることができる。
【発明の効果】
【００１６】
本発明による中空糸膜カートリッジ型加湿モジュール及びその製造方法によれば、複数の通常の中空糸膜カートリッジをハウジングに挿入して一体化することによって、通常の中空糸膜カートリッジの形状及び数量に応じてハウジングを作製して様々な容量の製品に拡張することができ、通常の中空糸膜カートリッジの形状及び数量と、その大きさの比率に応じて、その利用効率を高めることができる。また、複数の通常の中空糸膜カートリッジ及び中空糸膜を一度にポッティングすることによって、簡単なポッティングで製造時間及びコストを低減することができるという効果がある。
【図面の簡単な説明】
【００１７】
【図１】本発明の第１実施例に係る中空糸膜カートリッジ型加湿モジュールを一部分解した斜視図である。
【図２】図１の矢印Ａ−Ａ線に沿う断面図（縦断面図）である。
【図３】図２の通常の中空糸膜カートリッジを示す斜視図である。
【図４】本発明の第２実施例に係る中空糸膜カートリッジ型加湿モジュールを示す断面図（縦断面図）である。
【図５】図４の通常の空きカートリッジを示す斜視図である。
【図６】本発明の第３実施例に係る中空糸膜カートリッジ型加湿モジュールを一部分解した斜視図である。
【図７】本発明の実施例に係る中空糸膜カートリッジ型加湿モジュールの製造工程を示すフローチャートである。
【図８】従来の中空糸膜モジュールの横断面図である。
【発明を実施するための形態】
【００１８】
以下、本発明の属する技術分野における通常の知識を有する者が、容易に実施できるように、本発明の実施例について詳細に説明する。しかし、本発明は、種々の異なる形態で具現可能であり、ここで説明する実施例に限定されない。
【００１９】
図１は、本発明の第１実施例に係る中空糸膜カートリッジ型加湿モジュールを、一部分解した斜視図であり、図２は、図１の矢印Ａ−Ａ線に沿う断面図（縦断面図）であり、図３は、図２の通常の中空糸膜カートリッジを示す斜視図である。図示したように、第１実施例による中空糸膜カートリッジ型加湿モジュール１００は、ハウジング１１０、通常の中空糸膜カートリッジ１２０、区画部１３０、ポッティング部１４０、及びカバー１５０を含む。
【００２０】
ハウジング１１０及びカバー１５０は、加湿モジュール１００の外形をなし、ポリカーボネートなどの硬質プラスチックや金属からなることができる。また、ハウジング１１０及びカバー１５０は、幅方向の断面形状が、図１に示したように角形であっても、または図６に示したように円形であってもよい。角形は、四角形、正方形、台形、平行四辺形、五角形、六角形などであってもよく、角形は、角部が丸められた形状であってもよい。また、円形は楕円形であってもよい。
【００２１】
ハウジング１１０の一端部には、加湿流体が供給される注入口１１１が形成され、ハウジング１１０の他端部には、内部を加湿した加湿流体が排出される排出口１１２が形成されている。カバー１５０は、ハウジング１１０の両端に組み付けられる。
【００２２】
通常の中空糸膜カートリッジ１２０は、ハウジング１１０の内部に、ハウジングの長手方向に沿って挿入される複数の中空糸膜束１６０の、それぞれの両端部に嵌め合わされる。通常の中空糸膜カートリッジ１２０は、両側が開口されたボディー１２１の一端部の外面に、多数の流体通過部１２２が形成された構造であり、流体通過部１２２を介して、流体が中空糸膜束１６０の内部の中空糸膜１６１の間の空間へと容易に流入するようにする。また、流体通過部１２２の一部が、ポッティング部１４０の側に位置するように組み付けることで、通常の中空糸膜カートリッジ１２０の内部へのポッティングを容易にする。
【００２３】
通常の中空糸膜カートリッジ１２０は、本実施例では、横断面形状が四角形からなっているが、円形、楕円形または多角形からなることができ、多角形は、角部が丸められた形状からなることができる。通常の中空糸膜カートリッジ内における中空糸膜束の相当直径（ｅｑｕｉｖａｌｅｎｔ  ｄｉａｍｅｔｅｒ）と長さとの比率は、１：２〜１：１０であることが好ましい。相当直径は、多角形などの場合、流体が接する表面積を同じ大きさの円形状に変えて計算するための直径であって、流動の摩擦や流速、熱伝逹といったものを求めるとき、基本式が、円形の管を基準とする直径である。相当直径は、多角形または様々な形状に応じて公知の方法で計算することができる。
【００２４】
区画部１３０は、ハウジング１１０の内部に備えられて、複数の中空糸膜束１６０を区画する。区画部１３０は、ハウジング１１０と一体に形成されていてもよく、分離していて組み付け可能な形態からなっていてもよい。区画部１３０の内部の各挿入空間には、中空糸膜束１６０が挿入されて配置される。
【００２５】
ポッティング部１４０は、複数の通常の中空糸膜カートリッジ１２０の端部（流体通過部側）にて、中空糸膜束１６０の中空糸膜１６１を結束しながら、中空糸膜１６１間の空隙を埋めるとともに、ハウジング１１０の両端部の内側面に接してハウジング１１０を気密にさせる。ポッティング部１４０の材質は、公知のものによるもので、本明細書で詳細な説明は省略する。
【００２６】
ポッティング部１４０は、ハウジング１１０の両端のそれぞれの内部に形成される。このことによって、通常の中空糸膜カートリッジ１２０の内部の中空糸膜束１６０は、両端部がハウジング１１０に固定される。これによって、ハウジング１１０は、両端がポッティング部１４０によって塞がれ、その内部には、加湿流体が通過する流路が形成される。本発明において、複数の通常の中空糸膜カートリッジ１２０、及び中空糸膜束１６０は、ハウジング１１０に一度にポッティングされる。
【００２７】
カバー１５０は、ハウジング１１０の各両端に結合される。カバー１５０には流体出入口１５１が形成されている。一側のカバー１５０の流体出入口１５１に流入した作動流体は、中空糸膜束１６０の中空糸膜１６１の内部管路を通過しながら加湿され、他側のカバー１５０の流体出入口１５１から排出される。
【００２８】
中空糸膜束１６０は、加湿モジュール１００の容量に応じて、複数個が区画部１３０内の挿入空間に挿入配列されて設置される。中空糸膜束１６０の中空糸膜１６１は、水分を選択的に通過させる。中空糸膜１６１の材質は、公知のものによるもので、本明細書で詳細な説明は省略する。中空糸膜束１６０は、その全体積に対して中空糸膜１６１を３０〜６０体積％含むことが好ましい。
【００２９】
図４は、本発明の第２実施例に係る中空糸膜カートリッジ型加湿モジュール２００を示す断面図（縦断面図）であり、図５は、図４の通常の空きカートリッジを示す斜視図である。図示したように、ハウジング１１０の内部には、加湿容量または加湿度に応じて、中空糸膜束なしに区画部１３０内に嵌め込まれてハウジングに一度にポッティングされる通常の空きカートリッジ１７０をさらに備えることもできる。
【００３０】
通常の空きカートリッジ１７０は、円形、楕円形または多角形からなっており、区画部１３０の挿入空間の内部に流体が流れないように閉鎖されている。第２実施例の通常の空きカートリッジ１７０は、区画部１３０の挿入空間に合わせて四角筒状からなっている。通常の空きカートリッジ１７０が挿入された区画部１３０の内部挿入空間は空いている。第２実施例の残りの構成は、第１実施例と同一であるので、同一の符号を付し、詳細な説明は省略する。
【００３１】
図６は、本発明の第３実施例に係る中空糸膜カートリッジ型加湿モジュールを一部分解した斜視図である。図示したように、第３実施例による中空糸膜カートリッジ型加湿モジュール３００は、ハウジング３１０、通常の中空糸膜カートリッジ３２０、区画部（図示せず）、ポッティング部３４０、カバー３５０、及び、中空糸膜３６１が結束された中空糸膜束３６０を含む。第３実施例の中空糸膜カートリッジ型加湿モジュール３００の形状は円筒形であり、残りの構成は、第１実施例と類似しているので、詳細な説明は省略する。
【００３２】
このように構成された本発明の実施例に係る中空糸膜カートリッジ型加湿モジュール１００は、図７に示したように、通常の中空糸膜カートリッジを準備するステップ（Ｓ１１０）、ハウジングを製造するステップ（Ｓ１２０）、カートリッジを配列するステップ（Ｓ１３０）、カートリッジをポッティングするステップ（Ｓ１４０）、及びカバーを組み付けるステップ（Ｓ１５０）を経て完成する。
【００３３】
通常の中空糸膜カートリッジを準備するステップ（Ｓ１１０）は、公知の射出、押出、加工などの方法により製造された多数の通常の中空糸膜カートリッジ１２０を準備するステップである。ハウジングを製造するステップ（Ｓ１２０）は、通常の中空糸膜カートリッジ１２０の形状及び個数に応じて容量を定め、中空糸膜束１６０を区画する区画部１３０が備えられたハウジング１１０を製造するステップである。カートリッジを配列するステップ（Ｓ１３０）は、複数の通常の中空糸膜カートリッジ１２０及び中空糸膜束１６０を、ハウジング１１０内の区画部１３０に挿入して配列するステップである。カートリッジをポッティングするステップ（Ｓ１４０）は、配列された複数の通常の中空糸膜カートリッジ１２０及び中空糸膜束１６０を、ハウジング１１０に一度にポッティングするステップである。カバーを組み付けるステップ（Ｓ１５０）は、通常の中空糸膜カートリッジ１２０及び中空糸膜束１６０がポッティングされたハウジング１１０の両端にカバー１５０を組み付けるステップである。
【００３４】
通常の中空糸膜カートリッジ１２０と、ハウジング１１０とは、それぞれ別途の工程で製造されて準備されてもよい。ハウジングを製造するステップ（Ｓ１２０）において、区画部１３０は、ハウジング１１０と一体に作製することができる。また、ハウジングを製造するステップ（Ｓ１２０）において、区画部１３０は、ハウジング１１０と分離して作製して組み付けることができる。
【００３５】
このような中空糸膜カートリッジ型加湿モジュールの製造方法によれば、通常の中空糸膜カートリッジをハウジングに挿入して一体化することによって、通常の中空糸膜カートリッジの形状及び数量に応じてハウジングを作製することで、様々な容量の製品に拡張することができ、通常の中空糸膜カートリッジの形状及び数量と、その大きさの比率に応じて、その利用効率を高めることができる。また、多数の通常の中空糸膜カートリッジを一度にポッティングすることによって、簡単なポッティングで、製造時間及びコストを低減することができる。
【００３６】
以下では、本発明の実施例によって加湿モジュールを製造した実施例、比較例及び実験例を通じて本発明の構成及び効果をさらに詳細に説明する。実施例は本発明を例示するものに過ぎず、本発明の内容が以下の実施例によって限定されるものではない。
【００３７】
［実施例：加湿モジュールの製造］
（比較例１）
ポリスルホン中空糸膜（外径９００μｍ、内径８００μｍ）４，２００個を１２個（それぞれ３５０個）の束に分けたカートリッジ１２個をそれぞれポッティングした後、ポッティングされたカートリッジ１２個を角形のハウジング（横２５０ｍｍ、縦１５０ｍｍ、長さ３００ｍｍ）の内部に配置させ、ハウジングの両端をポッティングした後、前記ハウジングの両端部にカバーを被せることで、加湿モジュールを製造することができる。
【００３８】
（比較例２）
図８に示したように、ポリスルホン中空糸膜（外径９００μｍ、内径８００μｍ）６，０００個を一つの束４２１にして角形のハウジング（横２５０ｍｍ、縦１５０ｍｍ、長さ３００ｍｍ）４１０の内部に一つのモジュール４２０として配置させた。
【００３９】
前記ハウジングの両端にポッティング部形成用キャップを被せ、前記中空糸膜束どうしの間の空間、及び前記中空糸膜束と前記ハウジングとの間の空間にポッティング用組成物を注入した後、硬化させてシール（ｓｅａｌ）した。前記ポッティング部形成用キャップを除去した後、前記硬化した中空糸膜ポッティング用組成物の先端を切断し、前記中空糸膜束の先端が、前記ポッティング部の切断部に露出されるようにしてポッティング部を形成した後、前記ハウジングの両端部にカバーを被せることで、加湿モジュールを製造した。
【００４０】
（実施例１）
ポリスルホン中空糸膜（外径９００μｍ、内径８００μｍ）４，８００個を１２個の束（それぞれ４００個）に分割し、各束の両端に通常の中空糸膜カートリッジを挿入し、角形のハウジング（横２５０ｍｍ、縦１５０ｍｍ、長さ３００ｍｍ）の内部に形成された区画部の挿入空間に挿入して配置させた（図１参照）。
【００４１】
前記ハウジングの両端にポッティング部形成用キャップを被せ、前記中空糸膜束どうしの間の空間、及びカートリッジと前記ハウジングとの間の空間にポッティング用組成物を注入した後、硬化させてシール（ｓｅａｌ）した。前記ポッティング部形成用キャップを除去した後、前記硬化した中空糸膜ポッティング用組成物の先端を切断し、前記中空糸膜束の先端が、前記ポッティング部の切断部に露出されるようにしてポッティング部を形成した後、前記ハウジングの両端部にカバーを被せることで、加湿モジュールを製造した。
【００４２】
（実施例２）
ポリスルホン中空糸膜（外径９００μｍ、内径８００μｍ）４，２００個を四角形状の１２個の束（それぞれ３５０個）に分割し、各束の両端に通常の中空糸膜カートリッジを挿入し、角形のハウジング（横２５０ｍｍ、縦１５０ｍｍ、長さ３００ｍｍ）の内部に形成された区画部の挿入空間に挿入して配置させた（図１参照）。
【００４３】
前記ハウジングの両端にポッティング部形成用キャップを被せ、前記中空糸膜束どうしの間の空間、及び前記カートリッジと前記ハウジングとの間の空間にポッティング用組成物を注入した後、硬化させてシール（ｓｅａｌ）した。前記ポッティング部形成用キャップを除去した後、前記硬化した中空糸膜ポッティング用組成物の先端を切断し、前記中空糸膜束の先端が、前記ポッティング部の切断部に露出されるようにしてポッティング部を形成した後、前記ハウジングの両端部にカバーを被せることで、加湿モジュールを製造した。
【００４４】
［実験例：製造された加湿モジュールの性能測定］
前記実施例及び比較例で製造された加湿モジュールの中空糸膜の内部及び外部にそれぞれ５０ｇ／ｓｅｃの乾燥空気を流入し、中空糸膜の外部は、温度７０℃、湿度９０％に固定し、中空糸膜の内部は、温度４０℃、湿度１０％に固定して気体−気体加湿を行った。
【００４５】
加湿性能は、前記中空糸膜の内部を流れる空気が加湿されて出る地点の温度と湿度を測定し、露点（Ｄｅｗ  Ｐｏｉｎｔ）に換算して測定した。その結果を、ポッティング回数と共に下記の表１に示す。
【００４６】
【表１】
0006602870.tif 000002
【００４７】
前記表１を参照すると、前記実施例１及び実施例２で製造された加湿モジュールは、比較例１に比べてポッティング回数が減少し、ポッティングが簡単であり、比較例２に比べて加湿膜の数が少ないながらも、加湿性能がさらに優れていることがわかる。
【００４８】
以上で本発明の好ましい実施例について詳細に説明したが、本発明の権利範囲はこれに限定されるものではなく、後述する特許請求の範囲で定義している本発明の基本概念を利用した当業者の様々な変形及び改良形態も本発明の権利範囲に属する。
【符号の説明】
【００４９】
１００：加湿モジュール
１１０：ハウジング              １１１：注入口
１１２：排出口                  １２０：通常の中空糸膜カートリッジ
１３０：区画部                  １４０：ポッティング部
１５０：カバー                  １５１：流体出入口
１６０：中空糸膜束              １６１：中空糸膜
１７０：通常の空きカートリッジ
【図１】
0006602870.tif 000003
【図２】
0006602870.tif 000004
【図３】
0006602870.tif 000005
【図４】
0006602870.tif 000006
【図５】
0006602870.tif 000007
【図６】
0006602870.tif 000008
【図７】
0006602870.tif 000009
【図８】
0006602870.tif 000010